(57)【要約】【課題】吸熱側流体の温度が上昇した場合であっても加熱空気温度を維持できるヒートポンプ式加熱装置の制御方法を提供する。【解決手段】圧縮機、放熱器、膨張手段、及び蒸発器を備える冷媒回路で構成されたヒートポンプを具備し放熱器が放出する熱を利用するヒートポンプ式加熱装置の制御方法が、ヒートポンプサイクルの状態、又は冷媒と熱交換する流体の状態を検知する検知段階と、検知段階において把握されたヒートポンプサイクルの状態又は冷媒と熱交換する流体の状態から、冷媒の低圧側圧力が予め定められた所定値以上であるか否かを判断する段階と、判断する段階において、冷媒の低圧側圧力が所定値以上であると判断されたとき、圧縮機の冷媒吐出温度の低下を回避するために、吸熱側流体の流量を減少させる段階と、を含む。【選択図】図４
2013194978.tif 000002
【特許請求の範囲】
【請求項１】
圧縮機（１１）、放熱器（１２）、膨張手段（１３）、及び蒸発器（１４）を備える冷媒回路で構成されたヒートポンプ（１５）を具備し、前記放熱器（１２）が放出する熱を利用するヒートポンプ式加熱装置の制御方法であって、
ヒートポンプサイクルの状態、又は前記冷媒と熱交換する流体の状態を検知する検知段階と、
前記検知段階において把握されたヒートポンプサイクルの状態又は冷媒と熱交換する流体の状態から、冷媒の低圧側圧力（ＰL）が予め定められた所定値以上であるか否かを判断する段階と、
前記判断する段階において、冷媒の低圧側圧力（ＰL）が前記所定値以上であると判断されたとき、前記圧縮機（１１）の冷媒吐出温度の低下を回避するために、前記吸熱側流体の流量を減少させる段階と、を含むことを特徴とするヒートポンプ式加熱装置の制御方法。
【請求項２】
前記蒸発器（１４）において冷媒と熱交換をする吸熱側流体が液体であることを特徴とする、請求項１に記載のヒートポンプ式加熱装置の制御方法。
【請求項３】
前記検知段階において、放熱器（１２）の出口側の冷媒温度が測定され、
前記判断する段階において、測定された放熱器（１２）の出口側の冷媒温度が予め定められた所定値（Ｔ１）以上であるときに、冷媒の低圧側圧力（ＰL）が前記所定値以上であると判断されることを特徴とする、請求項１又は２に記載のヒートポンプ式加熱装置の制御方法。
【請求項４】
前記検知段階において、前記蒸発器（１４）の入口側の冷媒圧力が測定され、
前記判断する段階において、測定された蒸発器（１４）の入口側の冷媒圧力が予め定められた所定値以上であるときに、冷媒の低圧側圧力（ＰL）が前記所定値以上であると判断されることを特徴とする、請求項１〜３のいずれか一項に記載のヒートポンプ式加熱装置の制御方法。
【請求項５】
前記検知段階において、前記蒸発器（１４）の入口側の冷媒温度が測定され、
前記判断する段階において、測定された蒸発器（１４）の入口側の冷媒温度が予め定められた所定値以上であるときに、冷媒の低圧側圧力（ＰL）が前記所定値以上にあると判断されることを特徴とする、請求項１〜４のいずれか一項に記載のヒートポンプ式加熱装置の制御方法。
【請求項６】
前記検知段階において、前記圧縮機（１１）の冷媒吐出温度が測定され、
前記判断する段階において、測定された圧縮機（１１）の冷媒吐出温度が予め定められた所定値以下であるときに、冷媒の低圧側圧力（ＰL）が前記所定値以上にあると判断されることを特徴とする、請求項１〜５のいずれか一項に記載のヒートポンプ式加熱装置の制御方法。
【請求項７】
前記検知段階において、前記吸熱側流体の温度が測定され、
前記判断する段階において、測定された吸熱側流体の温度が予め定められた所定値以上であるときに、冷媒の低圧側圧力（ＰL）が前記所定値以上にあると判断されることを特徴とする、請求項１〜６のいずれか一項に記載のヒートポンプ式加熱装置の制御方法。
【請求項８】
前記放熱器（１２）において冷媒と熱交換をする放熱側流体が、送風ファンによって送風される空気であり、
前記検知段階において、前記送風ファンの回転数が測定され、
前記判断する段階において、測定された前記送風ファンの回転数が予め定められた所定値以下であるときに、冷媒の低圧側圧力（ＰL）が前記所定値以上にあると判断されることを特徴とする、請求項１〜７のいずれか一項に記載のヒートポンプ式加熱装置の制御方法。
【請求項９】
前記検知段階において、前記圧縮機（１１）の回転数が測定され、
前記判断する段階において、測定された前記圧縮機（１１）の回転数が予め定められた所定値以上であるときに、冷媒の低圧側圧力（ＰL）が前記所定値以上にあると判断されることを特徴とする、請求項１〜８のいずれか一項に記載のヒートポンプ式加熱装置の制御方法。
【請求項１０】
圧縮機（１１）、放熱器（１２）、膨張手段（１３）、及び蒸発器（１４）を備える冷媒回路で構成されたヒートポンプ（１５）を具備し、前記放熱器（１２）が放出する熱を利用するヒートポンプ式加熱装置であって、
ヒートポンプサイクルの状態、又は前記冷媒と熱交換する流体の状態を検知する検知手段（１６）と、
前記蒸発器（１４）において冷媒と熱交換する吸熱側流体の流量調節手段（１７）と、
制御装置と、を具備し、
前記制御装置は、前記検知手段（１６）によって把握されたヒートポンプサイクルの状態又は冷媒と熱交換する流体の状態から冷媒の低圧側圧力（ＰL）が予め定められた所定値以上であるか否かを判断するように構成され、
前記制御装置が、冷媒の低圧側圧力（ＰL）が前記所定値以上にあると判断したとき、前記圧縮機（１１）の冷媒吐出温度の低下を回避するために、前記流量調節手段（１７）を介して前記吸熱側流体の流量を減少させることを特徴とするヒートポンプ式加熱装置。
【発明の詳細な説明】
【技術分野】
【０００１】
本発明は、冷媒によるヒートポンプを備えるヒートポンプ式加熱装置の制御方法に関するものである。
【背景技術】
【０００２】
ヒートポンプ式加熱装置として、例えば特許文献１には、衣類を乾燥するための、二酸化炭素冷媒を用いたヒートポンプ式乾燥機が記載されている。この乾燥機は、常温付近の空気を吸熱源として利用して、約８０°Ｃの加熱空気を衣類に対して供給することができる。
【先行技術文献】
【特許文献】
【０００３】
【特許文献１】特開２０１０−８２１１３号公報
【発明の概要】
【発明が解決しようとする課題】
【０００４】
特許文献１のヒートポンプ式乾燥機は、常温付近の空気を吸熱源として利用するものであって、ヒートポンプサイクルにおける低圧側圧力が二酸化炭素冷媒の臨界圧力より相当低いレベルにおいて効率よく作動するように制御される。このようなヒートポンプ式の加熱装置を、吸熱源側の流体が空気よりはるかに熱伝達率の高い水であって、その水の温度が常温域を超えて例えば約５０°Ｃまで上昇することがある場合に適用しようとすると以下に述べる問題が生じる。
【０００５】
つまり、図３のＰ−ｈ線図の破線（２）のサイクルで示されるように、低圧側圧力ＰL1が臨界圧付近まで上昇した低圧側圧力ＰL2となり、そうすると蒸発行程におけるエンタルピの増大量が少なく、その結果、冷媒吐出温度が低下して、乾燥機として求められる温度条件を満足しないという事態が起こる。また、この冷媒吐出温度の低下は、特に高圧側圧力ＰHが機器の耐圧性の制約から上昇させられない場合に顕著に現れる。これは、圧縮機の回転数を上げるのと共に高圧側圧力ＰHの設計圧を超えないように減圧弁の弁開度を大にする必要が生じ、その結果低圧側圧力ＰLが更に高まるためである。
【０００６】
本発明は、前述の問題に鑑みてなされたものであり、その目的は、吸熱側流体の温度が上昇した場合であっても加熱空気温度を維持できるヒートポンプ式加熱装置の制御方法を提供することである。
【課題を解決するための手段】
【０００７】
前述の課題を解決するために、本発明の第１の様態は、圧縮機（１１）、放熱器（１２）、膨張手段（１３）、及び蒸発器（１４）を備える冷媒回路で構成されたヒートポンプ（１５）を具備し、放熱器（１２）が放出する熱を利用するヒートポンプ式加熱装置の制御方法であって、ヒートポンプサイクルの状態、又は冷媒と熱交換する流体の状態を検知する検知段階と、検知段階において把握されたヒートポンプサイクルの状態又は冷媒と熱交換する流体の状態から、冷媒の低圧側圧力（ＰL）が予め定められた所定値以上であるか否かを判断する段階と、判断する段階において、冷媒の低圧側圧力（ＰL）が所定値以上であると判断されたとき、圧縮機（１１）の冷媒吐出温度の低下を回避するために、吸熱側流体の流量を減少させる段階と、を含むヒートポンプ式加熱装置の制御方法を提供する。
【０００８】
これによれば、吸熱側流体の温度が上昇した場合であっても、その流量を減少させることにより、冷媒の低圧側圧力（ＰL）の上昇が抑制され、その結果圧縮機（１１）の冷媒吐出温度を維持することが可能になる。
【０００９】
本発明の第２の態様は、圧縮機（１１）、放熱器（１２）、膨張手段（１３）、及び蒸発器（１４）を備える冷媒回路で構成されたヒートポンプ（１５）を具備し、放熱器（１２）が放出する熱を利用するヒートポンプ式加熱装置であって、ヒートポンプサイクルの状態、又は冷媒と熱交換する流体の状態を検知する検知手段（１６）と、蒸発器（１４）において冷媒と熱交換する吸熱側流体の流量調節手段（１７）と、制御装置とを具備し、制御装置は、検知手段（１６）によって把握されたヒートポンプサイクルの状態又は冷媒と熱交換する流体の状態から冷媒の低圧側圧力（ＰL）が予め定められた所定値以上であるか否かを判断するように構成され、制御装置が、冷媒の低圧側圧力（ＰL）が所定値以上にあると判断したとき、圧縮機（１１）の冷媒吐出温度の低下を回避するために、流量調節手段（１７）を介して吸熱側流体の流量を減少させるヒートポンプ式加熱装置を提供する。
【００１０】
これによれば、吸熱側流体の温度が上昇した場合であっても、その流量を減少させることにより、冷媒の低圧側圧力（ＰL）の上昇が抑制され、その結果圧縮機（１１）の冷媒吐出温度を維持することが可能になる。
【図面の簡単な説明】
【００１１】
【図１】本発明の第１の実施形態におけるヒートポンプ式加熱装置の概略構成図である。
【図２】蒸発器における吸熱側流体の温度変化にともなう低圧側圧力のバランス点の変化を説明する図である。
【図３】本発明の第１の実施形態の制御方法によるヒートポンプサイクルを説明する模式的なＰ−ｈ線図である。
【図４】本発明の第１の実施形態の制御方法のフロー図である。
【発明を実施するための形態】
【００１２】
本発明の第１の実施形態によるヒートポンプ式加熱装置の制御方法について図１〜図４を参照して説明する。
第１の実施形態におけるヒートポンプ式加熱装置は、工業用の乾燥機として働くものであって、乾燥すべき物品（図示せず）に対して約１００°Ｃの空気を吹き付けることが求められている。この加熱装置は、圧縮機１１、放熱器１２、膨張弁１３、及び蒸発器１４を備え二酸化炭素冷媒が封入された冷媒回路で構成されたヒートポンプ１５と、放熱器出口側の冷媒温度センサ１６と、蒸発器１４において冷媒と熱交換する吸熱側流体の流量調節弁１７と、放熱器１２において冷媒と熱交換する放熱側流体である空気を送風する図示しない送風ファンと、少なくとも冷媒温度センサ１６及び流量調節弁１７と電気的に接続されている図示しない制御ユニットとを具備している。
【００１３】
この実施形態における吸熱側流体は、工場の温排水が利用されており、その通常の水温は約３０°Ｃである。但し、その水温は約５０°Ｃまで上昇することがある。蒸発器１４には前記温排水を流通させるための配管１８が接続されて、前記流量調節弁１７がこの配管１８に設けられており、さらに図示しないポンプも設けられている。したがって、吸熱側流体は、ポンプにより配管１８内を圧送されて、流量調節弁１７によって流量が制御されることが可能である。
【００１４】
放熱器１２にはダクト１９が接続されており、加熱されるべき空気は上流側のダクト１９から放熱器１２の熱交換部を通過して下流側のダクト１９を通って乾燥すべき物品に吹きつけられる。また、上流側のダクト１９には図示しないが送風ファンが設けられており、前記送風ファンは、本実施形態では定速回転をするものであり、したがってダクト１９を流れる空気の流量は一定である。また、前述したとおり約１００°Ｃの空気を供給することが求められているので、本実施形態の加熱装置では、冷媒吐出温度の設計値は１１０°Ｃとされている。
【００１５】
本実施形態の制御ユニットは、詳細には後述するが、吸熱側流体の温度が上昇した場合でも放熱側空気すなわち加熱空気の温度を維持するように構成されている。また、本実施形態におけるヒートポンプサイクルの高圧側圧力ＰHは、吸熱側流体の水温が標準的な３０°Ｃの場合において既に、構成機器に許容される最大圧力付近まで高められており、従って制御ユニットは高圧側圧力ＰHをそれ以上高めないことを条件としてヒートポンプ１５の運転を制御している。以下にその制御方法を本発明によらない場合と対比して説明する。
【００１６】
本実施形態におけるヒートポンプ式加熱装置は、吸熱側流体の水温は通常は約３０°Ｃであるが、場合によって約５０°Ｃまで上昇することがある。このように吸熱側流体の温度が上昇したとき、これに対して本実施形態の制御方法を適用しないと、蒸発器１４における吸熱量が増加することにより低圧側圧力ＰLが増大する。これは、蒸発器１４における吸熱側流体の温度変化にともなう低圧側圧力ＰLのバランス点の変化を説明する図２で示されるように、蒸発器１４のバランス点Ｂｐがより高圧側に移動するからである。なお、図２では、実線のＱｗ1が３０°Ｃの場合の水側の吸熱能力を表し、破線のＱｗ2が本実施形態の制御方法を適用しない５０°Ｃの場合の水側の吸熱能力を示し、一点鎖線のＱｗ3が本実施形態の制御方法を適用した５０°Ｃの場合の水側の吸熱能力を示し、Ｑｒが冷媒側吸熱能力を示している。
【００１７】
また、ヒートポンプサイクルを図３のＰ−ｈ線図で模式的に表すと、吸熱側流体が３０°Ｃのときは実線（１）のサイクルで表わされ、吸熱側流体が５０°Ｃのとき本実施形態による制御方法を適用しなかった場合のサイクルが破線（２）で表わされる。破線（２）のサイクルの場合には、低圧側圧力ＰLが臨界圧近くまで上昇することにより蒸発潜熱が急激に減少すること、及び高圧側圧力ＰHが制限されていることから、吸熱側流体の温度が上昇するにもかかわらず冷媒の吐出温度が実線（１）のサイクルの場合より低下する。図３のモデルでは、実線（１）のサイクルの場合には冷媒吐出温度が約１１０°Ｃであるのに対して、破線（２）のサイクルの場合には冷媒吐出温度は約９０°Ｃに低下し、したがって加熱装置（乾燥機）としての要求条件が満足されない。
【００１８】
一方、図３において一点鎖線（３）で表されるヒートポンプサイクルは、本実施形態による制御を行った場合を示している。この場合は吸熱側流体の温度が５０°Ｃであっても、低圧側圧力ＰLの上昇が抑制されることにより実線（１）のサイクルの場合と同様に約１１０°Ｃの冷媒吐出温度が得られる。
【００１９】
次に、一点鎖線（３）のサイクルで示されるように低圧側圧力ＰLの上昇を抑制するために、本実施形態で実施される制御方法について図４のフロー図を参照して説明する。
本実施形態では、最初にヒートポンプサイクルの状態を把握するために、放熱器出口側の冷媒温度センサ１６によって放熱器出口側の冷媒温度Ｔｃｒを検知して、低圧側圧力ＰLが予め定められた値以上であるか否かを放熱器出口側の冷媒温度から判断するために予め定めておいた所定の温度Ｔ１と検知した温度Ｔｃｒとを比較する（ステップＳ１０）。そして、検知された温度Ｔｃｒが前記所定の温度Ｔ１未満である場合には、吸熱側流体の流量調節弁１７の弁開度を全開として（ステップＳ２０）「スタート」に戻る。一方、検知された温度Ｔｃｒが所定の温度Ｔ１以上である場合には、前記流量調節弁１７の弁開度を所定の割合で低下させて（ステップＳ３０）「スタート」に戻る。なお、低圧側圧力ＰLの前記予め定められた値として、例えば図３のＰL3で示される圧力より若干小さい値が採用されることが好ましい。
【００２０】
ステップＳ３０を実行することにより、吸熱側流体の流量が低減されて冷媒の低圧側圧力ＰLの上昇が抑えられる。これは、図２に示されるように、水量を低減した場合の水側の吸熱能力を示した一点鎖線Ｑｗ3と冷媒側吸熱能力を示す実線Ｑｒとの交点Ｂｐ3が、水量を低減しない場合の水側の吸熱能力を示した破線Ｑｗ2と実線Ｑｒとの交点Ｂｐ2より低圧側に移行することからもわかる。
【００２１】
また本実施形態では、ヒートポンプサイクルの状態を把握するために放熱器出口側の冷媒温度Ｔｃｒを検知したが、これは、吸熱側流体の温度が上昇すると、圧縮機１１は能力確保をしようとしてその回転数を上昇させて冷媒循環量が増大するが、本実施形態の場合放熱側の空気流量は一定にしてあるため放熱器出口側の冷媒温度Ｔｃｒが上昇するからである。
【００２２】
次に、本発明の第２の実施形態によるヒートポンプ式加熱装置の制御方法について以下に説明する。
この実施形態における加熱装置は、放熱器出口側の冷媒温度センサ１６に替えて、蒸発器１４の入口側に圧力センサ（図示せず）を具備している。したがって、この実施形態においては、ヒートポンプサイクルの状態を把握するために、蒸発器入口側の圧力を検知し、低圧側圧力ＰLが予め定められた値以上であるか否かを蒸発器入口側の圧力から判断するために予め定めておいた蒸発器入口側の所定の圧力と検知した圧力を比較する。そして、検知した圧力が前記所定の圧力未満である場合には、吸熱側流体の流量調節弁１７の弁開度を全開とする一方で、検知した圧力が前記所定の圧力以上である場合には、吸熱側流体の流量調節弁１７の弁開度を所定の割合で低下させて吸熱側流体の流量を低減する。
【００２３】
次に、本発明の第３の実施形態によるヒートポンプ式加熱装置の制御方法について以下に説明する。
冷媒の二相域では、冷媒温度から圧力を推定できるので、第２の実施形態において測定された蒸発器入口側の圧力に替えて、第３の実施形態では蒸発器入口側の冷媒温度が測定される。このため第３の実施形態における加熱装置は、蒸発器入口側の冷媒温度を検知する温度センサ（図示せず）を具備している。したがって、この実施形態においては、ヒートポンプサイクルの状態を把握するために、蒸発器入口側の冷媒温度を検知し、低圧側圧力ＰLが予め定められた値以上であるか否かを蒸発器入口側の冷媒温度から判断するために予め定めておいた蒸発器入口側の所定の冷媒温度と検知した冷媒温度を比較する。そして検知した冷媒温度が前記所定の冷媒温度未満である場合には、吸熱側流体の流量調節弁１７の弁開度を全開とする一方で、検知した温度が前記所定の温度以上である場合には、吸熱側流体の流量調節弁１７の弁開度を所定の割合で低下させて吸熱側流体の流量を低減する。
【００２４】
次に、本発明の第４の実施形態によるヒートポンプ式加熱装置の制御方法について以下に説明する。
第４の実施形態における加熱装置は、冷媒の吐出温度を検知する温度センサ（図示せず）を具備している。したがって、この実施形態においては、ヒートポンプサイクルの状態を把握するために、冷媒吐出温度を検知し、低圧側圧力ＰLが予め定められた値以上であるか否かを冷媒吐出温度から判断するために予め定めておいた所定の冷媒吐出温度と検知した冷媒吐出温度を比較する。そして検知した冷媒吐出温度が前記所定の温度以上である場合には、吸熱側流体の流量調節弁１７の弁開度を全開とする一方で、検知した冷媒吐出温度が前記所定の温度未満である場合には、吸熱側流体の流量調節弁１７の弁開度を所定の割合で低下させて吸熱側流体の流量を低減する。
【００２５】
次に、本発明の第５の実施形態によるヒートポンプ式加熱装置の制御方法について以下に説明する。
第５の実施形態における加熱装置は、圧縮機１１の回転数検出センサを（図示せず）を具備している。したがって、この実施形態においては、ヒートポンプサイクルの状態を把握するために、圧縮機１１の回転数を検知し、低圧側圧力ＰLが予め定められた値以上であるか否かを圧縮機の回転数から判断するために予め定めておいた圧縮機１１の所定の回転数と検知した回転数を比較する。そして検知した回転数が前記所定の回転数未満である場合には、吸熱側流体の流量調節弁１７の弁開度を全開とする一方で、検知した回転数が前記所定の温度以上である場合には、吸熱側流体の流量調節弁１７の弁開度を所定の割合で低下させて吸熱側流体の流量を低減する。このように圧縮機１１の回転数からヒートポンプサイクルの状態が把握できるのは、吐出温度が低下した場合には、圧縮機１１は、能力を維持するために、その回転数を上昇させて冷媒循環量を増大させるからである。
【００２６】
次に、本発明の第６の実施形態によるヒートポンプ式加熱装置の制御方法について以下に説明する。
第６の実施形態における加熱装置は、吸熱側流体の温度を検出する温度センサを（図示せず）を具備している。したがって、この実施形態においては、吸熱側流体の温度を検知し、低圧側圧力ＰLが予め定められた値以上であるか否かを吸熱側流体の温度から判断するために予め定めておいた所定の吸熱側流体温度と検知した吸熱側流体温度を比較する。そして検知した吸熱側流体温度が前記所定の温度未満である場合には、吸熱側流体の流量調節弁１７の弁開度を全開とする一方で、検知した吸熱側流体温度が前記所定の温度以上である場合には、吸熱側流体の流量調節弁１７の弁開度を所定の割合で低下させて吸熱側流体の流量を低減する。また、圧縮機１１の始動前に、吸熱側流体の温度を測定して、測定温度が前記所定の温度以上である場合には、あらかじめ流量調節弁１７の弁開度を低下させておくことも可能である。そうすることにより、ヒートポンプサイクルの始動から安定するまでの時間を短縮することが可能になる。
【００２７】
次に、本発明の第７の実施形態によるヒートポンプ式加熱装置の制御方法について以下に説明する。
第７の実施形態における加熱装置は、放熱側空気送風用の送風ファンとして回転数可変タイプのもの（図示せず）を具備している。この回転数可変タイプの送風ファンは、温度センサも具備しており、前記温度センサにより測定された放熱側空気温度を維持するように風量即ちファンの回転数が制御される。この場合、例えば放熱側空気温度が低下したとすると、送風ファンはその風量が低下するように制御される。したがって、この実施形態においては、送風ファンの回転数を検知し、低圧側圧力ＰLが予め定められた値以上であるか否かを送風ファンの回転数から判断するために予め定めておいた送風ファンの所定の回転数と検知した回転数を比較する。そして検知した回転数が前記所定の回転数以上である場合には、吸熱側流体の流量調節弁１７の弁開度を全開とする一方で、検知した回転数が前記所定の回転数未満である場合には、吸熱側流体の流量調節弁１７の弁開度を所定の割合で低下させて吸熱側流体の流量を低減する。
【００２８】
その他の実施形態
前述の実施形態では、ヒートポンプサイクルの高圧側圧力ＰHが構成機器に許容される上限付近にあり、したがって吸熱側流体の温度が上昇した場合でも高圧側圧力ＰHは上昇しないという条件で説明されたが、高圧側圧力ＰHが上昇可能な場合でも本発明による制御方法を適用して前述と同様の効果を得ることが可能である。というのも、本発明による制御を適用しない場合に低圧側圧力ＰLが臨界圧付近まで上昇すると蒸発潜熱が急激に減少して蒸発器出口におけるエンタルピは減少し、破線（２）のサイクルの高圧側圧力ＰHが図３に示される圧力より例えば１０％程度増大可能であったとしても、前記エンタルピの減少分をカバーできず、その結果、冷媒吐出温度は、実線（１）或は一点鎖線（３）のサイクルの冷媒吐出温度から低下するからである。
【００２９】
前述の実施形態では、ヒートポンプ１５の冷媒として二酸化炭素が用いられたが、冷媒は二酸化炭素に限定されることはなく、フロン系の冷媒を用いたヒートポンプ１５の制御方法の実施形態も可能である。この場合、吸熱側流体の温度が上昇して、本発明による制御を実施しない場合に、冷媒の低圧側圧力ＰLが臨界圧付近まで達するか臨界圧を超える場合に本発明による効果が特に大となる。
【００３０】
前述の実施形態では吸熱側流体が水であったが、本発明においては、吸熱側流体は水に限定されず例えば不凍液等の液体であってもよく、さらに空気等の気体であってもよい。
【００３１】
前述の実施形態では、吸熱側流体の流量を調節するために流量調節弁１７の開度が調節されたが、吸熱側流体の配管１８に設けられたポンプの回転数が調節される実施形態も可能である。
【００３２】
前述の第１〜第７の実施形態による制御方法は互いに排他的ではなくそれらを様々に組み合わせた実施形態も可能である。
【符号の説明】
【００３３】
１１    圧縮機
１２    放熱器
１３    膨張弁
１４    蒸発器
１５    ヒートポンプ
１６    放熱器出口側の冷媒温度センサ
１７    流量調節弁
１８    配管
１９    ダクト
【図１】
2013194978.tif 000003
【図２】
2013194978.tif 000004
【図３】
2013194978.tif 000005
【図４】
2013194978.tif 000006